(57)【要約】【課題】  ３次元的な模様の浮き上がりが顕著で、形成パターンの自由度にも富み、かつ立体模様の形状維持に係る耐久性にも優れた毛織衣類を提供する。【解決手段】  毛織衣類５１は、羊毛繊維又は獣毛繊維を主体とする毛織布地５１’にて構成されている。該毛織布地５１’に絞り加工領域５９が複数分散形成されるとともに、絞り加工領域５９の背景領域５７に縮絨加工が施される。そして、それら絞り加工領域５９と背景領域５７との布地収縮率の差に基づいて絞り加工領域５９の形状を反映した立体模様６０を形成してなる。【選択図】    図１
0003113165.tif 000002
【実用新案登録請求の範囲】
【請求項１】
羊毛繊維又は獣毛繊維を主体とする毛織布地にて構成され、該毛織布地に絞り加工領域が複数分散形成されるとともに、前記絞り加工領域の背景領域に縮絨加工が施され、それら絞り加工領域と背景領域との縮絨収縮率の差に基づいて立体模様を形成してなることを特徴とする毛織衣類。
【請求項２】
前記毛織布地は、縦糸と横糸の双方が羊毛繊維又は獣毛繊維を主体に構成された単一の布層よりなる請求項１記載の毛織衣類。
【請求項３】
前記絞り加工領域は、括り糸により前記毛織布地を括り絞りすることにより形成されたものである請求項１又は請求項２に記載の毛織衣類。
【請求項４】
前記毛織布地の全部又は一部を、山折線と谷折線とを交替形成したひだ状の折り目付与領域とし、該折り目付与領域に形成されているひだ状の折り目を横切る形で前記絞り加工領域を帯状に形成し、該帯状の絞り加工領域と、その背景領域との布地収縮率の差に基づいて、前記ひだ状の折り目を前記立体模様の一部として形態保持させてなる請求項３に記載の毛織衣類。
【請求項５】
前記毛織布地の外周縁の一部区間を含む形で前記折り目付与領域が形成されるとともに、前記折り目の向きを前記外周縁に対して傾斜させることにより、前記毛織布地の外周縁の該折り目付与領域に属する区間を、前記山折線と前記谷折線との交替配列方向に引き込む形で傾斜変形させてなる請求項４に記載の毛織衣類。
【請求項６】
前記毛織布地の前記外周縁と直交する向きに境界線を設定し、該境界線に関して一方の側に、前記外周縁に対し第一の向きに傾斜させる形で前記ひだ状の折り目を形成した第一の前記折り目付与領域を形成し、前記境界線に関して他方の側に、前記外周縁に対し前記第一の向きとは逆の第二の向きに傾斜させる形で前記ひだ状の折り目を形成した第二の前記折り目付与領域を形成することにより、前記境界線との交点位置を頂点とする形で、前記外周縁を平面視にて山形又は谷形に変形させてなる請求項５記載の毛織衣類。
【請求項７】
前記毛織布地として長方形状のものを使用し、前記境界線を、該毛織布地の長手方向中間位置において、前記外周縁をなす一方の長辺縁から他方の長辺縁に至るよう該毛織布地を二分する形態で設定し、該二分された一方の領域と他方の領域とが、それぞれ前記ひだ状の折り目が前記一方の長辺縁から他方の長辺縁に至る形で傾斜形成された、前記第一の折り目付与領域及び前記第二の折り目付与領域とされてなり、
前記境界線と直交する基準方向に対し、前記第一の折り目付与領域と前記第二の折り目付与領域とが、前記境界線に沿って同じ向きに傾斜変形することにより、平面視においてＶ字型の外観形状をなす請求項６記載の毛織衣類。
【請求項８】
前記毛織布地として長方形状のものを使用し、該毛織布地の長手方向に人体上半身に巻きつけ着用されるストールとして構成された請求項１ないし請求項７のいずれか１項に記載の毛織衣類。
【考案の詳細な説明】
【技術分野】
【０００１】
この考案は、毛織衣類に関する。
【背景技術】
【０００２】
【特許文献１】特開２００４−１１０８３号公報
【特許文献２】特開平１０−５３９７８号公報
【０００３】
衣料に立体的な模様を形成する方法として、特許文献１には織物を多層に形成し、裏地層を毛織物層としてこれに水中攪拌等により縮絨加工を加え、この裏地層に結合された表地層を、裏地層との収縮寸法差に基づいてしわ寄せ変形させ、立体模様を形成する方法が開示されている。また、特許文献２には、毛織布地の模様形成に予定された領域に縮絨抑制剤を浸透させ、その状態で毛織布地に縮絨加工を施すことで、縮絨抑制剤を浸透させた領域と、浸透させない領域との間での布地の毛羽立ちの差に由来した立体模様を付与する技術が開示されている。
【考案の開示】
【考案が解決しようとする課題】
【０００４】
しかし、特許文献１の手法では、布地を多層構造に形成しなければならない分、素材コストも工数も多くかかり、安価に製造できない欠点がある。また、裏地の一様な収縮に引きずられたしわ寄せ加工になるので、形成可能な立体模様パターンの自由度にも乏しい。また、特許文献２の手法では、縮絨抑制剤を浸透させた領域と、浸透させない領域との間での布地の毛羽立ちの差だけでは、３次元的な模様の浮き上がりが十分でなく、本来的な意味での立体模様と呼べる代物ではなかった。
【０００５】
本考案の課題は、３次元的な模様の浮き上がりが顕著で、形成パターンの自由度にも富み、かつ立体模様の形状維持に係る耐久性にも優れた毛織衣類を提供することにある。
【課題を解決するための手段及び作用・効果】
【０００６】
上記の課題を解決するために、本考案の毛織衣類は、羊毛繊維又は獣毛繊維を主体とする毛織布地にて構成され、該毛織布地に絞り加工領域が複数分散形成されるとともに、絞り加工領域の背景領域に縮絨加工が施され、それら絞り加工領域と背景領域との縮絨収縮率の差に基づく立体模様を形成してなることを特徴とする。
【０００７】
また、上記本考案の毛織衣類は以下の方法によって製造可能である。
毛織布地の全部または一部領域に対し、形態保持部材により複数の絞り加工領域を複数分散形成することにより、絞り加工品となす絞り加工工程と、
形態保持部材を装着した状態にて、その絞り加工品を水中にて攪拌処理することにより絞り加工領域の背景領域に縮絨加工を施す水縮絨工程と、
水縮絨工程後の絞り加工品を乾燥する乾燥工程と、
該乾燥工程後に、該絞り加工品から形態保持部材を取り外す形態保持部材除去工程と、を含むことを特徴とする毛織衣類の製造方法。
本明細書において、「羊毛繊維又は獣毛繊維を主体とする」とは、羊毛繊維又は獣毛繊維の含有率が５０％以上であることをいう。
【０００８】
上記本考案の毛織衣類においては、絞り加工領域により形成する立体模様の３次元起伏量を、縮絨抑制剤を使用する特許文献２の方法と比較して大幅に増加させることができる。また、絞り加工を採用することで、形成可能な立体模様パターンの自由度は特許文献１の手法よりもはるかに高めることができる。そして、絞り加工領域と背景領域との間の縮絨収縮率の差（形態保持部材による緊束力により水分浸透を阻害される絞り加工領域のほうが、背景領域よりも縮絨収縮率は小さくなる）に基づいて、絞り加工に由来した立体模様の定着を行うので、立体模様の形状維持に係る耐久性が飛躍的に高められる。つまり、本考案特有の絞り複合型の縮絨加工方式を採用することで、３次元的な模様の浮き上がりが顕著で、形成パターンの自由度にも富み、かつ立体模様の形状維持に係る耐久性にも優れた毛織衣類が容易に実現される。
【０００９】
毛織布地は、縦糸と横糸の双方が羊毛繊維又は獣網繊維を主体に構成された単一の布層よりなるものとして構成できる。絞り加工領域と背景領域との間の縮絨収縮率の差に基づいて立体模様の定着を行う本考案の原理から、毛織布地が単一の布層として構成されていても、模様の浮き上がりが顕著で、形成パターンの自由度にも富み、かつ立体模様の形状維持に係る耐久性にも優れた毛織衣類を容易に実現することができる。
【００１０】
絞り加工領域は、括り糸により毛織布地を括り絞りすることにより形成されたものとすることができる。この場合、絞り工程において、糸による括り絞りにより絞り加工領域を複数分散させた形態にて形成し、絞り加工品を括り絞り品として得るとともに、形態保持部材除去工程は、該括り絞りを糸ほどきする糸ほどき工程とすることができる。括り糸による絞り方法であると、糸の巻き回数や巻き付け緊束力の調整により、水縮絨工程での絞り加工領域への水分の浸透程度を変化させることができ、絞り加工領域と背景領域との縮絨収縮率の差を種々に調整して、立体模様の浮き上がりの程度や風合いを、好みの度合いに調整することができる。
【００１１】
次に、本考案の毛織衣類においては、毛織布地の全部又は一部を、山折線と谷折線とを交替形成したひだ状の折り目付与領域とし、該折り目付与領域に形成されているひだ状の折り目を横切る形で絞り加工領域を帯状に形成し、該帯状の絞り加工領域と、その背景領域との布地収縮率の差に基づいて、ひだ状の折り目を立体模様の一部として形態保持させることができる。この場合、本考案の製造方法は、毛織布地の全部又は一部の領域を、山折線と谷折線とを交互に形成して布地折り返し領域がつづら折れ状に積層された折り返し積層部を形成し、該積層部に対し、重なった布地折り返し領域を束ねる形態の括り絞り部を、折り目方向において予め定められた間隔で複数形成して括り絞り品を形成するものとして実施できる。
【００１２】
毛織布地の一部領域に折り返し積層部を作って糸括りし、水縮絨工程を実施すれば、ひだ状の折り目と交差する絞り加工領域が、周囲部分との縮絨収縮率の差によって縞状の風合いに富む外観を呈するようになり、また、ひだ状の折り目の立体形状が、これとは縮絨収縮率を異にする絞り加工領域によって強固に定着され、上記縞状の風合いに立体感に富む背景構造が複合され、毛織物ではこれまで全く実現不能であった、斬新で優れた意匠効果を達成することができる。
【００１３】
この場合、毛織布地の外周縁の一部区間を含む形で折り目付与領域を形成するとともに、折り目の向きを上記外周縁に対して傾斜させておくと、毛織布地の外周縁の該折り目付与領域に属する区間を、山折線と谷折線との交替配列方向に引き込む形で傾斜変形させることができる。つまり、縮絨収縮率のアンバランスを利用する形で、毛織布地を平面視したときの外周縁形状にも変化がもたらされ、立体模様の細部構造だけでなく、衣類の巨視的な形状変化による新たな意匠効果を達成することができるようになる。
【００１４】
また、さらに進んだ形態として、毛織布地の外周縁と直交する向きに境界線を設定し、該境界線に関して一方の側に、外周縁に対し第一の向きに傾斜させる形でひだ状の折り目を形成した第一の折り目付与領域を形成し、境界線に関して他方の側に、外周縁に対し第一の向きとは逆の第二の向きに傾斜させる形でひだ状の折り目を形成した第二の折り目付与領域を形成することにより、境界線との交点位置を頂点とする形で、外周縁を平面視にて山形又は谷形に変形させることができる。つまり、ひだ状の折り目の形成方向が異なる２つの折り目付与領域を、共通の布地外周縁に沿って隣接させれば、それぞれの折り目付与領域が該外周縁を互いに異なる向きに傾斜変形させるので、例えば縮絨加工前の布地原反では単なる直線状だった布地外周縁が折れ線状に変形し、より複雑で風合いに富む外観形状を得ることができる。また、布地原反を裁断せずとも、布地自身の変形により折れ線状の外周縁形状を得ることができるのでハギレを生じにくく、高価な布地を有効活用することができる。
【考案を実施するための最良の形態】
【００１５】
以下、本考案の実施の形態について、図面を用いて説明する。
図１は本考案の毛織衣類をストールとして構成した例を示すものである。該毛織衣類５１は、羊毛繊維又は獣毛繊維を主体とする毛織布地にて構成され、該毛織布地５１’に絞り加工領域５９が複数分散形成されている。また、絞り加工領域５９の背景領域５７には縮絨加工が施され、それら絞り加工領域５９と背景領域５７との布地収縮率の差に基づいて、絞り加工領域５９の形状を反映した立体模様６０を形成している。本実施形態において、絞り加工領域５９は、括り糸１０２により毛織布地を括り絞りすることにより形成されたものである。
【００１６】
毛織布地は、本実施形態では羊毛繊維からなるものを使用しているが、獣毛繊維として、アンゴラ、カシミヤ、キャメルあるいはアルパカなどの繊維からなる毛織布地を用いてもよい。また、毛織布地は、羊毛繊維１００％ないし獣毛繊維１００％のものを用いることができるが、羊毛繊維又は獣毛繊維の含有率が５０％であれば、残部が他の繊維（例えば、ポリエステル繊維、アクリル繊維、ナイロン繊維等の合成繊維や、絹、麻、綿などの天然繊維）で構成されていてもよい。
【００１７】
本実施形態では、毛織布地は、縦糸と横糸の双方が羊毛繊維又は獣網繊維を主体に構成された単一の布層よりなるものとして構成されている。ただし、縦糸と横糸の一方を、（縮絨性を有する）羊毛繊維又は獣網繊維とし、他方を縮絨性が顕著でない他の繊維（例えば、綿や麻などの植物性繊維や、ポリエステル繊維、アクリル繊維、ナイロン繊維等の合成繊維）で構成してもよい。このようにすると、羊毛繊維又は獣網繊維で構成した糸の方向に縮絨の異方性が生じ、特異な意匠効果を挙げることができる場合がある。
【００１８】
図１の毛織衣類５１は、毛織布地５１’の全部を、山折線５３と谷折線５５とを交替形成したひだ状の折り目付与領域６１Ａ，６１Ｂとし、該折り目付与領域６１Ａ，６１Ｂに形成されているひだ状の折り目（山折線５３と谷折線５５）を横切る形で絞り加工領域５９を帯状に形成し、該帯状の絞り加工領域５９と、その背景領域５７との布地収縮率の差に基づいて、ひだ状の折り目を立体模様６０の一部として形態保持させたものである。図中には絞り加工領域５９をその背景部分とともに拡大して示しているが、絞り加工領域５９の背景部分は縮絨により強く収縮しているが、絞り加工領域５９は製造時において括り糸により水分浸透が妨げられ、縮絨の進行が抑制されるので収縮率が小さい。従って、絞り加工領域５９は、収縮した背景部分に対して、寸法差を吸収するための変形が布地面法線方向に生じ、立体的に浮き上がることとなる。また、布地面内方向に折り目を開く向きの展張応力が加わったとき、絞り加工領域５９は、背景領域の布地面から浮き上がっているので、折り目を閉じる向きに復帰力を生ずる形で弾性変形し、折り目の立体形状を拘束する役割を果たす。
【００１９】
折り目付与領域６１Ａ，６１Ｂは、それぞれ、毛織布地の外周縁の一部区間５２を含む形で形成されており、折り目（山折線５３と谷折線５５）の向きが上記外周縁５２に対して傾斜している。これにより、毛織布地の外周縁の該折り目付与領域６１Ａ，６１Ｂに属する区間５２は、山折線５３と谷折線５５との交替配列方向に引き込まれるように傾斜変形している。これは、布地の外周縁に対して傾斜する形で形成された折り目の立体形状が、絞り加工領域５９とその背景領域との縮絨収縮率のアンバランスにより定着された結果として生じたものである。
【００２０】
本実施形態では、毛織布地の外周縁（５２）と直交する向きに境界線Ｊが設定され、該境界線Ｊに関して一方の側に、外周縁に対し第一の向きに傾斜させる形でひだ状の折り目を形成した第一の折り目付与領域６１Ａが形成されている。また、境界線Ｊに関して他方の側に、外周縁に対し第一の向きとは逆の第二の向きに傾斜させる形でひだ状の折り目を形成した第二の折り目付与領域６１Ｂが形成されている。毛織布地の外周縁は、境界線Ｊとの交点位置を頂点とする形で、平面視にて山形又は谷形に変形している。ひだ状の折り目の形成方向が異なる２つの折り目付与領域６１Ａ，６１Ｂを、共通の布地外周縁に沿って隣接させることで、それぞれの折り目付与領域６１Ａ，６１Ｂでは、該外周縁が互いに異なる向きに傾斜変形し、縮絨加工前の布地原反では単なる直線状だった布地外周縁が折れ線状に変形することとなる。
【００２１】
毛織布地としては長方形状のものが使用され、上記の境界線Ｊは、該毛織布地の長手方向中間位置において、外周縁をなす一方の長辺縁から他方の長辺縁に至るよう該毛織布地を二分する形態で設定されている。そして、該二分された一方の領域と他方の領域とが、それぞれひだ状の折り目が一方の長辺縁から他方の長辺縁に至る形で傾斜形成された、第一の折り目付与領域６１Ａ及び第二の折り目付与領域６１Ｂとされている。縮絨加工後の毛織布地の平面形状は、もとの毛織布地の平面形状（図３）から、次のように変形する形となっている。すなわち、境界線Ｊと直交する基準方向に対し、第一の折り目付与領域６１Ａと第二の折り目付与領域６１Ｂとが、境界線に沿って同じ向きに傾斜変形することにより、平面視においてＶ字型の外観形状をなす。
【００２２】
図１３に示すように、Ｖ字状の外観形状を長方形状の布地２５０から裁断により形成しようとすると、Ｖ字開口を埋める部分をなす大三角形状の領域２５１Ａと、Ｖ字二辺の外側に隣接する１対の小三角形状の領域２５１Ｂとの都合３箇所にハギレが発生し、布地の利用効率はすこぶる悪い。しかし、ひだ状の一連の折り目（山折線５３と谷折線５５）を２方向に立体形成し、本考案特有の絞り複合型の縮絨加工を上記のごとく適用して形状固定することにより、長方形状の布地の外周縁形状は、図１のごとく長手方向中間の基準線Ｊを境にＶ字状に屈曲変形させることができ、ハギレによる無駄は全く発生しない。かつ、単純な横長形状であった布地５１’をこのように屈曲変形させることで、斬新な形態の毛織製ストールを実現することができる（ショールやマフラー等への適用も可能である）。
【００２３】
図２に示すごとく、毛織布地として長方形状のものを使用することで、図１の毛織衣類５１は、該毛織布地の長手方向に人体上半身に巻きつけ着用されるストールとして構成されている。特に、上記のように長手方向に周縁部をＶ字変形させた形態とする場合、Ｖ字開口を上向きにし、その頂点を背骨位置に合せ込んで着用すれば、ストールの左右の折り目付与領域６１Ａ，６１Ｂが、斜め下方を向きつつ着用者の左右上半身側方を覆う形となって、体へのフィット感が高められる他、背中側のファッション性もより高めることができる。
【００２４】
以下、図１の毛織衣類５１の製造工程の一例について説明する。まず、図３に示すように、長方形状の毛織布地５１’に、山折線５３と谷折線５５とを交互に形成し、布地折り返し領域がつづら折れ状に積層された折り返し積層部５１”を形成する。具体的には毛織布地５１’の長手方向中央位置に基準線Ｊを設定して布地を二領域に二分し、図中右側の領域は、図面中にて右下がりに傾斜した山折線５３と谷折線５５とを交替形成し、同じく左側の領域は図面中にて左下がりに傾斜した山折線５３と谷折線５５とを交替形成する。
【００２５】
次に、図４に示すように、折り返し積層部５１”には、重なった布地折り返し領域を束ねる形態の括り絞り部３を、折り目方向において予め定められた間隔で複数形成し、括り絞り品２０１とする（以上、絞り加工工程：形態保持部材は括り糸１０２である）。なお、括り絞り部３の形成間隔は、縮絨効果を顕著とするためには５ｍｍ以上（望ましくは１ｃｍ以上）とすることが望ましく、折り返し積層部５１”の全長の１／２（望ましくは１／５以上）は超えないようにする。また、括り絞り部３の幅は１ｍｍ以上５ｍｍ以下（例えば２ｍｍ）とする。括り絞り部３における括り糸１０２の巻き数や巻きつけ力の調整により、括り絞り部３の内側への水分の浸透程度が変化し、例えば括り糸１０２の強くかつ多数回巻きつければ内側への水分浸透がほとんど生じず、絞り加工領域５９の縮絨収縮率はごく小さくなるし、括り糸１０２の巻き付け力を弱め、巻き付け回数も減らせば、括り絞り部３の内側へのある程度水分が浸透するので、絞り加工領域５９の縮絨収縮率は大きくなる。
【００２６】
続いて、図５に示すように、絞り加工品２０１を水中にて攪拌処理することにより括り絞り部３により隔てられた非絞り部（絞り加工領域の背景領域に相当する）６３’に縮絨加工を施す（水縮絨工程）。図５では、絞り加工品２０１を投入した回転槽３０１が水浴Ｗ中で回転するウォッシャー型加工機を使用している。攪拌時間は、例えば１０分以上４０分未満（望ましくは２０分以上３０分未満）の範囲で適宜設定する。攪拌時間がある適性時間に到達すると、図６に示すように、非絞り部６３’は急激に収縮する。従って、攪拌時間が不十分な場合は、非絞り部６３’にほとんど収縮が生じないため、立体模様の形成効果が顕著でなくなる。他方、攪拌時間が過剰になると、毛織繊維が崩れてフェルト状になり、商品価値が損なわれる。
【００２７】
水縮絨工程が終了すれば、絞り加工品２０１を周知のドライヤーによる強制乾燥か、または自然乾燥により十分乾燥させ（乾燥工程）、絞り加工品２０１から形態保持部材である括り糸１０２をほどいてこれを取り外す（形態保持部材除去工程）。図７に示すように、非絞り部６３’となっていた背景領域５７は、縮絨効果により例えば１０％以上２０％以下程度の寸法収縮を生じる一方、括り絞り部３による絞り加工領域５９の収縮率は１０％未満（例えば５％以下（０％含む））となる。
【００２８】
なお、毛織布地には染色を施すことができるが、この染色工程は、図８に示すように、絞り加工工程の前に実施することができる。この場合、毛織布地の段階で染色を施すこともできるし、布地とする前の糸の段階で染色を施すようにしてもよい。他方、この染色を絞り加工工程の後で実施することもできる。すると、絞り部へは染料の浸透が妨げられ、図１０に示すように、絞り領域５９に対応して染色が抜けた弱染色領域（あるいは非染色領域）５８が形成され、背景領域５７に対応して強染色領域５７が形成される。染色後には、水洗及び乾燥の工程が必要であるが、染色時間や水洗時間については、布地に大きな縮絨が生じないように設定することが望ましい。
【００２９】
当然、上記の工程は、図９に示すように、下染めとなる一次染色と、絞り後の染色である二次染色とを組み合わせたバリエーションが可能である。これにより、絞り領域５９と背景領域５７とを、互いに異なる色に染めることが可能である。この場合、二次染色工程は、絞り加工工程と水縮絨工程との間で行ってもよいし、水縮絨工程の後で行ってもいずれでもよい。なお、図８及び図９では、染色後の水洗や乾燥、あるいは水縮絨工程後の乾燥について、図示を省略している。
【００３０】
なお、図１の毛織衣類５１では、毛織布地の全面を折り目形成領域として使用していたが、図１１あるいは図１２Ａに示すように、毛織布地の一部のみを折り目形成領域とすることも可能である。図１１では、長方形状の布地の長手方向中央部は非折り目形成領域とされ、その両側に隣接して図１と同様の第一の折り目形成領域６１Ａ及び第一の折り目形成領域６１Ｂを形成している。なお、図１１では、いずれの折り目形成領域６１Ａ，６１Ｂも、布地の対向外周縁（ここでは、長辺縁）にまたがって形成されているが、図１２Ａに示すように、布地の一方の外周縁だけを含むように折り目形成領域６１Ａを形成することも可能である。この場合、折り目形成領域６１Ａの反対側の縁は、布地の面内途中位置で途切れることになるが、この場合は、図１２Ｂに示すように括り絞り部３０１を、括り糸を、針を用いて布地に縫い付ける形で形成することができる。
【図面の簡単な説明】
【００３１】
【図１】本考案の毛織衣類をストールとして構成した場合の第一実施形態を、一部拡大して示す平面図。
【図２】図１のストールの着用状態を示す説明図。
【図３】図１の毛織衣類製造工程を説明する第一図。
【図４】同じく第二図。
【図５】同じく第三図。
【図６】同じく第四図。
【図７】同じく第五図。
【図８】染色を考慮に入れた場合の、毛織衣類の製造工程の第一例を示す流れ図。
【図９】同じく第二例を示す流れ図。
【図１０】本考案の毛織衣類をストールとして構成した場合の第二実施形態を示す平面図。
【図１１】同じく第三実施形態を示す平面図。
【図１２Ａ】折り目形成領域の形成形態の変形例を示す図。
【図１２Ｂ】その製造工程を示す図。
【図１３】図１に対応する形状を布地裁断で得ようとする場合の、ハギレ発生形態を示す平面図。
【符号の説明】
【００３２】
３  括り絞り部
５１  毛織衣類
５１’  毛織布地
５１”  折り返し積層部
５２  外周縁（一部区間）
Ｊ  境界線
５３  山折線
５５  谷折線
５７  背景領域
５９  絞り加工領域
６０  立体模様
６１Ａ  第一の折り目付与領域
６１Ｂ  第二の折り目付与領域
１０２  括り糸（形態保持部材）
２０１  絞り加工品
【図１】
0003113165.tif 000003
【図２】
0003113165.tif 000004
【図３】
0003113165.tif 000005
【図４】
0003113165.tif 000006
【図５】
0003113165.tif 000007
【図６】
0003113165.tif 000008
【図７】
0003113165.tif 000009
【図８】
0003113165.tif 000010
【図９】
0003113165.tif 000011
【図１０】
0003113165.tif 000012
【図１１】
0003113165.tif 000013
【図１２Ａ】
0003113165.tif 000014
【図１２Ｂ】
0003113165.tif 000015
【図１３】
0003113165.tif 000016